(57)【要約】【課題】  ペットボトルや飲料缶等の空容器をネット袋内に収納するのに、該ネット袋の開口部を開放させた状態で支持できるようにしたネット袋支持具を提供する。【解決手段】  自立可能な支柱体１の上部に平面「コ」字状のフレームを有するネット支持部２を設けるとともに、ネット支持部２の各フレームにそれぞれネット袋５の開口縁部５１を係止する係止突起１４，２３を設けてネット袋支持具とし、ネット袋５の開口縁部５１をネット支持部２の各係止突起１４，２３に係止することで、袋開口部を開放状態で支持できるようにしている。【選択図】  図７
2006264885.tif 000002
【特許請求の範囲】
【請求項１】
ネット袋（５）を開放状態で支持するネット袋支持具であって、自立可能な支柱体（１）の上部に平面「コ」字状のフレーム（１２，２１，２１）を有するネット支持部（２）を設けるとともに、該ネット支持部（２）の各フレーム（１２，２１，２１）にそれぞれネット袋（５）の開口縁部（５１）を係止する係止突起（１４，２３）を設けていることを特徴とするネット袋支持具。
【請求項２】
請求項１において、支柱体（１）の左右にネット支持部（２）が２つ設けられていることを特徴とするネット袋支持具。
【請求項３】
請求項１又は２において、支柱体（１）は相互に着脱自在な支柱枠（１０）と台座（３０）を有し、ネット支持部（２）は支柱枠（１０）に対して着脱自在な支持枠部材（２０，２０）を有しているとともに、前記支柱枠（１０）と前記台座（３０）、及び前記支柱枠（１０）と前記支持枠部材（２０，２０）とがそれぞれ組立・分解可能であることを特徴とするネット袋支持具。
【請求項４】
請求項３において、台座（３０）を支柱枠（１０）に対して係脱自在にロックするロック装置（４）を有していることを特徴とするネット袋支持具。
【発明の詳細な説明】
【技術分野】
【０００１】
本願発明は、例えば町内会組織内においてゴミ出しされるペットボトルや飲料缶等を収納するネット袋を支持するためのネット袋支持具に関するものである。
【背景技術】
【０００２】
一般家庭からゴミ出しされる空のペットボトルや飲料缶等（以下の説明では、これらを総称して空容器という）は、最終的に資源ゴミとして業者に回収されるが、例えば町内会組織内では、空容器ゴミ出し日に各人が持ち寄った空容器を大きなネット袋内に収納して、業者が回収に来るまで一時保管している。
【０００３】
ところで、空容器収納用のネット袋は、柔軟で自立性がないために自然状態では自重で下方に撓んで開口部が閉じてしまう。そして、空容器をネット袋内に収納するのに、一人で行う場合には、ネット袋の開口縁部を一方の手で持って開口部を広げ、他方の手で空容器をネット袋内に投入する。
【０００４】
又、町内会組織によっては、空容器ゴミ出し日に当番の人が待機していて、各家庭から空容器を持ち寄ってきたときに、当番の人が手伝いをする（ネット袋の開口部を広げる）ところもある。
【発明の開示】
【発明が解決しようとする課題】
【０００５】
ところが、上述したようなネット袋に空容器を収納する際に、一人で行う場合には、一方の手で袋開口部を広げておく必要があるが、一方の手だけでは開口部を十分に開放できず、空容器をネット袋内に収納しにくい。さらに、このように空容器収納作業を一人で行う場合には、一方の手が開口部開放用に拘束されるので、片方の手でしか空容器を投入できず、その作業がしにくいとともに、多数個の空容器を持ち寄ったときには、その移し替えに長時間を要していた。
【０００６】
又、町内会組織内で当番を決めて空容器収納作業の手伝いをする場合には、当番の人が拘束されるとともに、各人が空容器を持ち寄る度にネット袋の開口部を広げる必要があり、多大な負担になるという問題があった。
【０００７】
又、この種のネット袋は、高さ１１００mm、周囲１６００mm程度のかなり大きいものを使用することが多く、このような大きなネット袋を使用する際は、一人が開口部を広げたとしても、ネット袋は柔軟で垂れ下がるため、十分に大きな開口部を得ることが困難であり、さらに十分な開口を得ようとすると開口部を広げるために二人の補助者が必要であった。
【０００８】
本願発明は、以上の問題点を解決し、空容器のネット袋への収納作業を一人で簡単に行なうことができるネット袋支持具を提供することを目的としている。
【課題を解決するための手段】
【０００９】
本願発明は、上記課題を解決するための手段として次の構成を有している。尚、本願発明は、ペットボトルや飲料缶等の空容器を収容するためのネット袋を開放状態で支持するネット袋支持具を対象にしている。
【００１０】
本願請求項１の発明
本願請求項１の発明のネット袋支持具は、自立可能な支柱体の上部に平面「コ」字状のフレームを有するネット支持部を設けるとともに、ネット支持部の各フレームにそれぞれネット袋の開口縁部を係止する係止突起を設けていることを特徴としている。
【００１１】
この請求項１のネット袋支持具では、ネット支持部（「コ」字状のフレーム）に設けた各係止突起にネット袋の開口縁部（網目部分）を係止することにより、ネット袋の開口部を開放させた状態で該ネット袋を支持できる。
【００１２】
本願請求項２の発明
本願請求項２の発明は、上記請求項１のネット袋支持具において、支柱体の左右にネット支持部が２つ設けられていることを特徴としている。
【００１３】
この請求項２のネット袋支持具では、単一の支柱体を共用して２つのネット支持部を設けているので、１つのネット袋支持具で２つのネット袋を装着できる。
【００１４】
本願請求項３の発明
本願請求項３の発明は、上記請求項１又は２のネット袋支持具において、支柱体は相互に着脱自在な支柱枠と台座を有し、ネット支持部は支柱枠に対して着脱自在な支持枠部材を有しているとともに、支柱枠と台座、及び支柱枠と支持枠部材とがそれぞれ組立・分解可能であることを特徴としている。
【００１５】
この請求項３のネット袋支持具では、不使用時に支柱枠と支持枠部材と台座とに分解して保管できる。
【００１６】
本願請求項４の発明
本願請求項４の発明は、上記請求項３のネット袋支持具において、台座を支柱枠に対して係脱自在にロックするロック装置を有していることを特徴としている。
【００１７】
この請求項４のネット袋支持具では、このネット袋支持具全体をそのまま位置移動させる際に、ロック装置で台座を支柱枠にロックさせておくと、台座を支柱枠から分離させ得るものであっても、台座を支柱枠と一体に取り扱える。
【発明の効果】
【００１８】
本願の各請求項のネット袋支持具は、それぞれ次の効果がある。
【００１９】
本願請求項１の発明の効果
請求項１に係るネット袋支持具は、ネット袋の開口部の網目部分をネット支持部の係止突起に係止させることにより、ネット袋の開口部を略矩形状に開口した状態で支持することができる。
【００２０】
従って、請求項１のネット袋支持具では、無人でネット袋の開口部を開放状態に維持させることができるという効果がある。尚、このように、ネット袋の開口部を開放させておくと、空容器をネット袋内に収納する際に、一人行う場合でも両手がフリーの状態で行えるので、その収納作業が容易となる。
【００２１】
又、ネット支持部は支柱体により所定の高さに支持されているので、ネット袋のほぼ全高さ範囲を中空状態で支持することができ（ネット袋の中間高さ部分に捩れができない）、空容器を開口部に投入するだけで、該各空容器を確実にネット袋底部から順次堆積させることができる。即ち、投入した空容器がネット袋途中で停滞しないので、空容器をネット袋底部に繰り降ろす作業（ネット袋を持ち上げる作業）が不要である。
【００２２】
本願請求項２の発明の効果
請求項２に係るネット袋支持具は、支柱体の左右にネット支持部を２つ設けているので、２つのネット袋を支持することができる。
【００２３】
従って、本願請求項２のネット袋支持具では、上記請求項１の効果に加えて、２箇所で空容器を収納できるので、多量の空容器を収納できるとともに、ゴミ出し者が一度に集中しても混雑を緩和できる（順番待ちの時間を短くできる）。又、単一の支柱体を２つのネット支持部に共用できるので、該支柱体を有効利用できるという効果もある。
【００２４】
本願請求項３の発明の効果
請求項３に係るネット袋支持具は、支柱枠と台座、及び支柱枠と支持枠部材とをそれぞれ分解することができる。
【００２５】
従って、請求項３のネット袋支持具では、上記請求項１又は２の効果に加えて、不使用時にはそれらを分解してコンパクトにできるという効果がある。尚、空容器の収集日は月に１〜２回程度で、このネット袋支持具を使用する日数は少ないが、この請求項３のようにネット袋支持具を分解状態で保管すると、ネット袋支持具の保管場所として狭いスペースでよい。
【００２６】
本願請求項４の発明の効果
請求項４に係るネット袋支持具は、支柱枠と台座が分離する構造のものにおいて、ロック装置により台座を支柱枠に対してロックできるようにしている。
【００２７】
従って、請求項４のネット袋支持具では、上記請求項３の効果に加えて、支柱枠と台座が分離する構造であっても、台座を支柱枠にロックしておくことでネット袋支持具全体を持ち運ぶ際に台座ごと移動させることができるという効果がある。
【実施例】
【００２８】
本願実施例のネット袋支持具を図面を参照して説明する。
【００２９】
図１は本願実施例のネット袋支持具の正面図、図２は図１の平面図、図３は図１の左側面図、図４は図１の状態の分解図、図５は図３の状態の分解図、図６はネット袋支持具の使用状態の正面図、図７はネット袋支持具の使用状態の平面図である。
【００３０】
この実施例のネット袋支持具は、自立可能な支柱体１の上部に平面「コ」字状のネット支持部２を左右に２つ設けて構成されている。尚、このネット袋支持具に使用するネット袋５（図６、図７）は、袋本体の開口縁部５１の周囲に紐５２を通しており、該紐５２を緩めたり絞ったりすることで袋開口部を開閉し得るようになっている。
【００３１】
支柱体１は、支柱枠１０と一対の台座３０，３０とで構成されている。
【００３２】
支柱枠１０は、図５に示すように２本の支柱フレーム１１，１１を上連結フレーム１２と下連結フレーム１３とで連結して縦長の四角形の枠状に組付けている。上連結フレーム１２及び下連結フレーム１３の長さ（図２の寸法ａ）は、図示例のものでは４４０mmであり、両支柱フレーム１１，１１間に同寸法ａの間隔を持たせている。
【００３３】
２本の支柱フレーム１１，１１は、それぞれ四角パイプ状の鋼管製（外形が６０mm×３０mm）で、長さｂ（図１、図４）が約８５０mmのものが使用されている。各支柱フレーム１１，１１の上端部には、後述の支持枠部材２０の下向き嵌合凸部２２を嵌脱自在に差込み得る上嵌合凹部１６がそれぞれ形成されおり、各支柱フレーム１１，１１の下端部には、後述の各台座３０，３０の上向き嵌合凸部３３を嵌脱自在に差込み得る下嵌合凹部１７がそれぞれ形成されている。尚、各支柱フレーム１１，１１における上嵌合凹部１６及び下嵌合凹部１７は、四角パイプ材の穴を利用している。
【００３４】
上連結フレーム１２は、その下面と各支柱フレーム１１，１１の上面とが同一高さになる状態で且つ上連結フレーム１２の長さ方向各端面が各支柱フレーム１１，１１の対向面（内面）と同位置になる状態で固定（溶接）している。従って、この支柱枠１０には、上部の両端角部に切欠状の段部１１ａ，１１ａ（図５参照）が設けられている。
【００３５】
下連結フレーム１３は、各支柱フレーム１１，１１の下端部よりやや上部寄り位置に固定（溶接）されている。
【００３６】
そして、この支柱枠１０は、各支柱フレーム１１，１１と上連結フレーム１２と下連結フレーム１３とが同一平面上にあるので、厚さが薄い形状（例えば図４の寸法ｃが６０mm）となっている。
【００３７】
各台座３０，３０は、細幅の天板３１と補強棒３２とで高さの低い略二等辺三角形状に形成されている。天板３１の下面側には、後述のカム片４４の係止爪４５を挿入させる空所３４が設けられている。尚、天板３１の長さｄ（図１、図４）は約８００mmである。
【００３８】
天板３１の頂部には、支柱フレーム１１の下嵌合凹部１７内に嵌挿される四角棒状の上向き嵌合凸部３３が形成されている。尚、この各台座３０，３０も、図５に示すように比較的薄型（天板３１の幅が約３０mm）に形成されている。
【００３９】
左右２つのネット支持部２，２は、前後２つの支持枠部材２０，２０と支柱枠１０の上連結フレーム１２とで構成される。各支持枠部材２０，２０は、比較的長尺の枠フレーム２１の長さ方向中央部の下面に、支柱フレーム１１の上嵌合凹部１６内に嵌挿される四角棒状の下向き嵌合凸部２２を設けている。枠フレーム２１の長さｅ（図２）は、図示例のものでは７００mmである。尚、この各支持枠部材２０，２０も、図５に示すように比較的薄型（枠フレーム２１の幅が約３０mm）に形成されている。
【００４０】
そして、このネット袋支持具は、支柱枠１０の下部に各台座３０，３０を組付ける一方、支柱枠１０の上部に各支持枠部材２０，２０を組付けて使用される。即ち、このネット袋支持具は、各台座３０，３０が支柱枠１０の上連結フレーム１２（及び下連結フレーム１３）が指向する方向とは直交する姿勢で、各台座３０，３０の上向き嵌合凸部３３，３３をそれぞれ各支柱フレーム１１，１１の下嵌合凹部１７，１７内に嵌挿させる（支柱体１が構成される）とともに、各支持枠部材２０，２０が支柱枠１０の上連結フレーム１２（及び下連結フレーム１３）が指向する方向とは直交する姿勢で、各支持枠部材２０，２０の下向き嵌合凸部２２，２２をそれぞれ各支柱フレーム１１，１１の上嵌合凹部１６，１６内に嵌挿させることで、自立可能で立体形状に組立てることができる。尚、各支持枠部材２０，２０を支柱枠１０上部に組付けた状態では、各枠フレーム２１，２１の上面と上連結フレーム１２の上面とが同一高さに揃うようになっている。
【００４１】
又、ネット袋支持具は、図１〜図３の組立て状態から、各支持枠部材２０，２０を支柱枠１０に対して上方に持ち上げることで該各支持枠部材２０，２０と支柱枠１０とを分離でき、さらに支柱枠１０を各台座３０，３０に対して上方に持ち上げることで該支柱枠１０と各台座３０，３０とを分離させることができる。
【００４２】
このネット袋支持具の組立て状態では、図２に示すように、支柱体１の上部に幅ａ（ａ＝約４４０mm）で深さｆ（ｆ＝約３２０mm）の平面「コ」字状のネット支持部２が左右に２箇所形成されている。この各ネット支持部２，２は、支柱枠１０の上連結フレーム１２を共用し、それと各支持枠部材２０，２０の枠フレーム２１，２１のそれぞれ半分長さ部分とで、平面「コ」字状に形成されたものである。尚、各ネット支持部２，２の上面高さｇ（図１）は、地面から約９５０mmとなっている。
【００４３】
各ネット支持部２，２の上面には、ネット袋５（図６、図７）の開口縁部５１を係止するための係止突起１４，２３が形成されている。即ち、左右の各ネット支持部２，２において、共用している上連結フレーム１２上の各側縁部寄りに間隔をもって合計３個ずつ（両方で６個）の係止突起１４，１４，１４を形成している一方、各枠フレーム２１，２１上の対向する半分長さ部分に間隔をもってそれぞれ２個ずつの係止突起２３，２３を形成している。尚、この実施例では、１つのネット支持部２につき、合計７個の係止突起１４，２３を設けている。尚、この各係止突起１４，２３は、上向きに突出するピン状のものであり、該ピンをそれぞれネット支持部２の上面から高さ２５mm程度だけ突出させた状態で取付けている。
【００４４】
又、このネット袋支持具には、ネット袋支持具を組立て状態のままで持ち運ぶ際に、各台座３０，３０が支柱枠１０から分離しないようにするためのロック装置４が設けられている。このロック装置４は、レバー棒４１と、該レバー棒４１で操作される一対のカム片４４，４４を有している。
【００４５】
レバー棒４１は、上部位置に横向きの把持部４１ａと、該把持部４１ａの両端からそれぞれ下向きに延出する２本の延出棒４１ｂ，４１ｂと、該把持部４１ａの中央部において上向きに突出する短小なスライド軸４１ｃとを有している。
【００４６】
レバー棒４１のスライド軸４１ｃは、上連結フレーム１２の中央部に設けたガイド孔４２内に挿通して、レバー棒４１の上部を上下動自在にガイドしている。レバー棒４１の各延出棒４１ｂ，４１ｂの下端部には、それぞれ支柱枠１０の下連結フレーム１３の上面に着座する着座板４３，４３を固定（溶接）している。
【００４７】
各カム片４４，４４は、図３に示すように、下連結フレーム１３の各端部寄り位置において該下連結フレーム１３の側面にそれぞれ支軸４６，４６で枢支している。この各カム片４４，４４の下部には、それぞれ各台座天板３１，３１の下面側の空所３４に出没自在に進入する係止爪４５が設けられている。又、各カム片４４，４４の上部には、それぞれ各着座板４３，４３が支軸４７，４７で連結されている。
【００４８】
このロック装置４は、レバー棒４１が自然状態では、図３に示すように各着座板４３，４３が下連結フレーム１３上に着座し、スライド軸４１ｃの一部が上連結フレーム１２側のガイド孔４２内に挿入されていて、レバー棒４１が上動可能になっている。そして、このレバー棒把持部４１ａを上動させると、レバー棒４１及び各カム片４４，４４がそれぞれ図３に鎖線図示（符号４１′，４４′）するように変位し、各カム片４４，４４の各係止爪４５，４５が符号４５′で示すように台座天板３１の下面側空所３４に進入して、該各係止爪４５′，４５′がそれぞれ各台座天板３１，３１の中央部下面に係止される（台座３０をロックする）ようになっている。
【００４９】
尚、このロック装置４は、レバー棒把持部４１ａから手を離すと、レバー棒４１が自重で下動して（各着座板４３が下連結フレーム１３上に着座する）、各カム片４４，４４がロック解除状態になる（図３の実線図示状態に戻る）。
【００５０】
このネット袋支持具は、図６及び図７に示すようにして使用される。即ち、ネット袋支持具を使用状態に組立てた状態で、ネット支持部２内にネット袋５の上部を挿入し、ネット支持部２の三方にある各フレーム（１２，２１，２１）の各係止突起１４，２３（合計７個）にネット袋５の開口縁部５１を係止させる。尚、ネット袋５は、左右各側のネット支持部２，２にセットする。この状態では、各ネット袋５，５は、それぞれ開口がネット支持部２内の空所とほぼ同形の矩形（４４０mm×３２０mm）に開放された状態で、吊下げ支持される。
【００５１】
このように、ネット袋５を開口が開放された状態で吊下げ支持していると、空容器ゴミ出し時に、ネット袋開口部内に空容器を投入するだけで空容器を収納させることができ、その収納作業が極めて簡単となる。又、ネット袋５内に空容器が満杯になると、紐５２部分を握って上方へ引き上げつつ開口縁部５１を係止突起１４，２３から外すことにより、空容器が脱落すること無く袋開口部を結束することができる。
【００５２】
又、このネット袋支持具を組立て状態のままで持ち運ぶ際には、まずレバー棒４１の把持部４１ａを引き上げる。すると、それに伴いレバー棒４１が上方に引き上げられることにより、各カム片４４，４４が図３に鎖線図示（符号４４′）するようにロック側に変位し、各係止爪４５，４５が符号４５′，４５′の状態となって各側の台座３０，３０をロックするようになる。そして、レバー棒把持部４１ａを手で引き上げたまま、他方の手で支柱枠１０の適所を握って持ち上げると、支柱枠１０と各台座３０，３０が一体となった状態で運搬することができる。尚、各支持枠部材２０，２０は、支柱枠１０に対して特にロックされていないが、支柱枠１０を握って移動させる場合は該支持枠部材２０が脱落することはない。
【００５３】
又、このネット袋支持具を使用しない場合は、各支持枠部材２０，２０を支柱枠１０から分離し、支柱枠１０を各台座３０，３０から分離することで、それぞれ薄形のパーツに分解することができ、それらを重ねることでコンパクトに保管できる。
【００５４】
尚、以上の例においては、ネット袋５内にゴミ出しされる空容器（ペットボトルや飲料缶）を収納する場合について説明したが、本願のネット袋支持具は、ネット袋の開口を開放状態で支持するものであって、ネット袋内に収納される物品の種類は特定するものではない。
【図面の簡単な説明】
【００５５】
【図１】本願実施例のネット袋支持具の平面図である。
【図２】図１のネット袋支持具の平面図である。
【図３】図１のネット袋支持具の左側面図である。
【図４】図１の状態（正面図）のネット袋支持具の分解図である。
【図５】図３の状態（左側面図）のネット袋支持具の分解図である。
【図６】本願実施例のネット袋支持具の使用状態を示す正面図である。
【図７】図６の平面図である。
【符号の説明】
【００５６】
１は支柱体、２はネット支持部、４はロック装置、５はネット袋、１０は支柱枠、１１は支柱フレーム、１２は上連結フレーム、１３は下連結フレーム、１４は係止突起、２０は支持枠部材、２１は枠フレーム、２３は係止突起、３０は台座、４１はレバー棒、４４はカム片、５１は開口縁部である。
【図１】
2006264885.tif 000003
【図２】
2006264885.tif 000004
【図３】
2006264885.tif 000005
【図４】
2006264885.tif 000006
【図５】
2006264885.tif 000007
【図６】
2006264885.tif 000008
【図７】
2006264885.tif 000009